(57)【要約】      （修正有）【課題】薪ストーブ等から生じる灰等の回収を容易に行い得るストーブ台の灰等回収構造を提供する。【解決手段】床面とストーブ２との間に介在するストーブ台１において、ストーブの使用に伴いストーブ台に散在する灰等の被回収物を回収するために、ストーブ台の平面視における外縁に沿って、ストーブが置かれる載置面５に対しそれより一定量立ち上がる堤部６が形成されて載置面５が取り囲まれる。さらにその載置面の、堤部の内側近傍に開口する凹部が形成され、その凹部に、上部開口を有する灰等回収容器４が、その上部開口が前記載置面に対して同一面上か該載置面より低位置となるように着脱可能に装着される。それによりストーブ台の載置面に散在する灰等の被回収物を灰等回収容器に集めて収容し、その灰等回収容器を凹部から取り外して、その内部に収容された灰等を廃棄可能とした。【選択図】図１
0003163606.tif 000002
【実用新案登録請求の範囲】
【請求項１】
薪その他の燃焼材を炉内に供給することによりその燃焼熱で暖房するストーブのために使用され、床面上に位置してその上にストーブが置かれることにより、床面と該ストーブとの間に介在してストーブの熱が床面に伝わることを抑制するとともに床面を保護するストーブ台において、燃焼材の燃焼に伴う灰等の燃焼残渣、供給前の燃焼材から生じる塵等、ストーブの使用に伴いストーブ台に散在する灰等の被回収物を回収する回収構造であって、
前記ストーブ台の平面視における外縁に沿って、前記ストーブが置かれる載置面に対しそれより一定量立ち上がる堤部が形成されて載置面が取り囲まれ、その堤部で取り囲まれる領域の一部がストーブの設置領域とされるとともに、少なくとも前側にストーブの非設置領域が形成され、
さらにその載置面の、前記堤部の内側近傍における前記ストーブの非設置領域に開口する凹部が形成され、その凹部に、上部開口を有する灰等回収容器が、その上部開口が前記載置面に対して同一面上か該載置面より低位置となるように着脱可能に装着され、
ストーブ台の前記載置面に散在する前記灰等の被回収物を前記灰等回収容器に集めて収容し、その灰等回収容器を前記凹部から取り外して、その内部に収容された灰等を廃棄可能としたことを特徴とするストーブ台の灰等回収構造。
【請求項２】
前記ストーブ台において、平面視で前側の前記ストーブの非設置領域における外縁は、少なくとも２つの角部を有する形状をなし、前記凹部はそれらの角部のうちの少なくとも１つの角部に対応する位置において前記堤部の内側に形成され、その角部に形成された凹部に前記灰等回収容器が嵌合され、その灰等回収容器にストーブ台の前記載置面に散在する灰等の被回収物が集められ収容される請求項１に記載のストーブ台の灰等回収構造。
【請求項３】
前記ストーブ台の載置面には、前記堤部の内側に沿って、前記灰等回収容器に向かって線状に延びる案内溝が形成され、その案内溝内にいったん掃き込まれた灰等の被回収物がその案内溝に沿って前記灰等回収容器に集められる請求項１又は２に記載のストーブ台の灰等回収構造。
【請求項４】
前記灰等回収容器が着脱可能に装着される凹部は、前記灰等回収容器の断面形状に対応する形状で、かつその灰等回収容器との間に着脱のためのクリアランスを生じる大きさで形成され、その凹部の上端開口部に弾性変形可能な環状のリップ部がその凹部の開口内縁より内側に突き出た形態で前記クリアランスを埋めるように設けられ、前記灰等回収容器が前記凹部に装着される際には、その環状のリップ部が下側へ湾曲するように弾性変形させつつその凹部に押し込まれ、前記クリアランスが埋められて該凹部の上端開口部と灰等回収容器との間から灰等の被回収物がその凹部内に侵入することが防止ないし抑制される請求項２又は３に記載のストーブ台の灰等回収構造。
【請求項５】
前記灰等回収容器は、その上部の開口の上方を跨ぐように起立する使用位置と、その使用位置から横に倒され該容器の上部開口の周縁に収まる格納位置、又は下向きに退避した格納位置とに移動可能である取手を備え、前記凹部から灰等回収容器を取り出す際にはその取手を格納位置から使用位置に起立させ、その取手を把持して該容器を持ち上げる請求項２ないし４のいずれか１項に記載のストーブ台の灰等回収構造。
【請求項６】
前記ストーブ台の載置面に形成された前記凹部の凹部開口及びその凹部に装着された灰等回収容器の容器開口を共に塞ぐ蓋を備え、灰等の被回収物を前記灰等回収容器へ回収する際にはその蓋を取って、前記灰等回収容器の容器開口を露出させ、それ以外のときはその蓋を前記凹部の凹部開口に被せて該凹部開口及び灰等回収容器の容器開口を塞いでおく請求項１ないし５のいずれか１項に記載のストーブ台の灰等回収構造。
【請求項７】
前記ストーブ台の載置面に開口するように形成される凹部は、前記堤部の内側に沿って長手状に少なくとも１本以上が形成され、その凹部に着脱可能に装着される灰等回収容器も該凹部に対応する形状で長手状に形成され、前記堤部の手前に位置する前記長手状の灰等回収容器に向かって灰等の被回収物を掃き込むことにより該容器に回収する請求項１ないし６のいずれか１項に記載のストーブ台の灰等回収構造。
【請求項８】
前記ストーブ台の載置面に開口するように形成される凹部は、前記ストーブ台の載置面から床面に対する接地面まで貫通する貫通部と、その位置に対応して床面に形成された凹所とが、上下方向に連なることにより、該ストーブ台と床面とに跨って形成され、前記灰等回収容器は、その凹部に格納されることにより、該床面に一部が埋没する状態で配置される請求項１ないし７のいずれか１項に記載のストーブ台の灰等回収構造。
【請求項９】
前記ストーブ台は、複数の脚部の下端において床面に設置され、これら複数の脚部によりストーブ台の載置面を構成する載置基板が嵩上げされる結果、ストーブ台の載置基板の下面と床面との間に一定の下側空間が確保され、その載置基板にそれの厚さ方向に形成された貫通孔が前記凹部となり、その凹部に挿入されて前記下側空間内へ突き出た灰等回収容器が前記床面に着座して支持される請求項１に記載のストーブ台の灰等回収構造。
【請求項１０】
前記ストーブ台は、複数の脚部の下端において床面に設置され、これら複数の脚部によりストーブ台の載置面を構成する載置基板が嵩上げされる結果、ストーブ台の載置基板の下面と床面との間に一定の下側空間が確保され、その載置基板にそれの厚さ方向に形成された貫通孔が前記凹部となり、前記灰等回収容器の開口部に形成されたフランジが前記凹部の開口部に着座し、該容器の下側部分が前記下側空間内へ突き出るとともに、前記床面から浮き上がった状態で支持される請求項１に記載のストーブ台の灰等回収構造。
【請求項１１】
前記ストーブ台は、複数の脚部の下端において床面に設置され、これら複数の脚部によりストーブ台の載置面を構成する載置基板が嵩上げされる結果、ストーブ台の載置基板の下面と床面との間に一定の下側空間が確保され、その載置基板と一体的に有底容器状部が前記脚部の脚長の範囲内で下向きに突出して、前記床面と干渉しないように形成され、その有底容器状部の内側空間が前記凹部とされ、その凹部内に前記灰等回収容器が収容され、その容器の下面が前記有底容器状部の底面に着座して該容器がその有底容器状部ひいてはストーブ台に支持される請求項１に記載のストーブ台の灰等回収構造。
【考案の詳細な説明】
【技術分野】
【０００１】
本考案は、薪その他の燃焼材を炉開口に供給することによりその燃焼熱で暖房するストーブ（代表的には薪ストーブ）から発生する灰等を、ストーブ台において回収する技術に関する。
【背景技術】
【０００２】
従来、例えば図２０に示すストーブ台１００は、薪１０１その他の燃焼材を炉開口１０２に供給することによりその燃焼熱で暖房するストーブ１０３のために使用され、床面１０４上に位置してその上にストーブ１０３が置かれることにより、床面１０４と該ストーブ１００との間に介在してストーブ１０３の熱が床面１０４に伝わることを抑制するとともに床面１０４を保護する。この従来例では部屋の壁面の中間位置を背にしてストーブ１０３が置かれるが、図２０Ａのように、部屋の角にストーブ１０３が設置される場合は、例えば変形五角形状のストーブ台１００Ａが用いられる。
【先行技術文献】
【特許文献】
【０００３】
【特許文献１】特開２００７−２８５６６５号公報
【０００４】
しかしながら、図２０等に示すストーブ台にしろ、特許文献１に示すストーブ台（ストーブ用設置台１０）にしろ、ストーブから生じる灰がストーブ台上に飛散し、さらにはストーブ台から床面まで拡散すると、その掃除が大変である。図２０等のストーブ台１００はひな壇状になっているため、灰等が床面１０４上に落ちやすく、また特許文献１のストーブ用設置台１０では図１（Ａ）のように、僅かな段差があるものの、灰等が床面に飛散することを防止するには余り効果がなく、仮に灰等が床面に飛散しなくても、ストーブ用設置台１０の載置部に存在する灰等の掃除は面倒である。
【考案の概要】
【考案が解決しようとする課題】
【０００５】
この考案は、薪ストーブ等から生じる灰等の回収を容易に行い得るストーブ台の灰等回収構造を提供することを課題とする。
【課題を解決するための手段及び考案の効果】
【０００６】
この考案は、薪その他の燃焼材を炉内に供給することによりその燃焼熱で暖房するストーブのために使用され、床面上に位置してその上にストーブが置かれることにより、床面と該ストーブとの間に介在してストーブの熱が床面に伝わることを抑制するとともに床面を保護するストーブ台において、燃焼材の燃焼に伴う灰等の燃焼残渣、供給前の燃焼材から生じる塵等、ストーブの使用に伴いストーブ台に散在する灰等の被回収物を回収する回収構造であって、
前記ストーブ台の平面視における外縁に沿って、前記ストーブが置かれる載置面に対しそれより一定量立ち上がる堤部が形成されて載置面が取り囲まれ、その堤部で取り囲まれる領域の一部がストーブの設置領域とされるとともに、少なくとも前側にストーブの非設置領域が形成され、
さらにその載置面の、前記堤部の内側近傍における前記ストーブの非設置領域に開口する凹部が形成され、その凹部に、上部開口を有する灰等回収容器が、その上部開口が前記載置面に対して同一面上か該載置面より低位置となるように着脱可能に装着され、
ストーブ台の前記載置面に散在する前記灰等の被回収物を前記灰等回収容器に集めて収容し、その灰等回収容器を前記凹部から取り外して、その内部に収容された灰等を廃棄可能としたことを特徴とする。
【０００７】
このようにすれば、ストーブが設置される載置面の周りが堤部で囲まれるため、ストーブの使用に伴い発生する灰等が床面に飛散しにくく、そのために灰等をストーブ台上に留めることが可能となり、さらに、そのストーブ台上にある灰等を、ストーブ台の載置面に開口する凹部に収容される灰等回収容器に掃き集める等して収容し、その後、灰等回収容器をストーブ台から取り外して、中の灰等を廃棄すれば、灰等の掃除を簡単に行うことができ、ストーブの周辺を常にきれいに保つことが可能となる。
【０００８】
またこの考案は、前記ストーブ台において、平面視で前側の前記ストーブの非設置領域における外縁は、少なくとも２つの角部を有する形状をなし、前記凹部はそれらの角部のうちの少なくとも１つの角部に対応する位置において前記堤部の内側に形成され、その角部に形成された凹部に前記灰等回収容器が嵌合され、その灰等回収容器にストーブ台の前記載置面に散在する灰等の被回収物が集められ収容される。
【０００９】
このようにすれば、灰等回収容器が角部に位置するため、角部以外のところに位置する場合と比べて灰等を集めやすい。
【００１０】
またこの考案は、前記ストーブ台の載置面には、前記堤部の内側に沿って、前記灰等回収容器に向かって線状に延びる案内溝が形成され、その案内溝内にいったん掃き込まれた灰等の被回収物がその案内溝に沿って前記灰等回収容器に集められる。
【００１１】
このようにすれば、ストーブ台上の灰等を広い面から直接に灰等回収容器に落とし込む場合に比べて、まず案内溝に灰等をいったん掃き落とし、あとは案内溝に一次的に集められた灰等をその案内溝に沿って二次的に灰等回収容器側へ送っていけば、案内溝は灰等回収容器につながっているから、灰等を簡単に灰等回収容器に集めることができる。
【００１２】
またこの考案は、前記灰等回収容器が着脱可能に装着される凹部は、前記灰等回収容器の断面形状に対応する形状で、かつその灰等回収容器との間に着脱のためのクリアランスを生じる大きさで形成され、その凹部の上端開口部に弾性変形可能な環状のリップ部がその凹部の開口内縁より内側に突き出た形態で前記クリアランスを埋めるように設けられ、前記灰等回収容器が前記凹部に装着される際には、その環状のリップ部が下側へ湾曲するように弾性変形させつつその凹部に押し込まれ、前記クリアランスが埋められて該凹部の上端開口部と灰等回収容器との間から灰等の被回収物がその凹部内に侵入することが防止ないし抑制される。
【００１３】
ここで、ストーブ台の凹部と回収容器との間には、その回収容器の出し入れのために一定のクリアランスが必要となる。そして灰等を灰等回収容器に掃き集める際に、灰等の一部がそのクリアランス内に侵入して凹部内に入り込んでしまうと、凹部の底から灰等を取り除くことが面倒になるが、上述のリップ部の存在（シール作用）により灰等が凹部内に侵入しにくくなり、しかもリップ部の弾性変形により回収容器を支障なく着脱することができる。
【００１４】
またこの考案は、前記灰等回収容器は、その上部の開口の上方を跨ぐように起立する使用位置と、その使用位置から横に倒され該容器の上部の開口の周縁に沿って収まる格納位置、又は下向きに退避させた格納位置とに移動可能である取手を備え、前記凹部から灰等回収容器を取り出す際にはその取手を格納位置から使用位置に起立させ、その取手部を把持して該容器を持ち上げる。
【００１５】
このようにすれば、灰等回収容器内の灰等を棄てたいときは、使用位置に起こした取手を持って簡単に回収容器を凹部から離脱させることができ、灰等の廃棄を容易に行うことができる。またその容器をストーブ台の凹部に戻したいときは、取手を起立位置から横又は下に倒して格納位置に変更すれば、取手がじゃまにならず、見た目もよい。
【００１６】
またこの考案は、前記ストーブ台の載置面に形成された前記凹部の凹部開口及びその凹部に装着された灰等回収容器の容器開口を共に塞ぐ蓋を備え、灰等の被回収物を前記灰等回収容器へ回収する際にはその蓋を取って、前記灰等回収容器の容器開口を露出させ、それ以外のときはその蓋を前記凹部の凹部開口に被せて該凹部開口及び灰等回収容器の容器開口を塞いでおく。
【００１７】
このようにすれば、灰等回収容器の容器開口が蓋で覆われるから、その容器に収容された灰等が気流等の関係で舞い上がって室内に飛散・浮遊したりすることが防止され、また高熱の灰等（例えば火の粉）が回収容器に入っても、蓋が被せられることにより一種の「火消壺」の効果も生じ、防火上の要請にも応えるものとなる。
【００１８】
またこの考案は、前記ストーブ台の載置面に開口するように形成される凹部は、前記堤部の内側に沿って長手状に少なくとも１本以上が形成され、その凹部に着脱可能に装着される灰等回収容器も該凹部に対応する形状で長手状に形成され、前記堤部の手前に位置する前記長手状の灰等回収容器に向かって灰等の被回収物を掃き込むことにより該容器に回収する。
【００１９】
このようにすれば、灰等を一点に集めるのではなく、長手状の凹部に着脱可能に装着された長手状の灰等回収容器に対し、いわば一定の長さを有する辺部、あるいは溝に灰等を落とし込む感覚で回収することができるから、灰等を掃き集めるにしても短時間に簡単に灰等を処理できる。
【００２０】
またこの考案は、前記ストーブ台の載置面に開口するように形成される凹部は、前記ストーブ台の載置面から床面に対する接地面まで貫通する貫通部と、その位置に対応して床面に形成された空洞部とが、上下方向に連なることにより、該ストーブ台と床面とに跨って形成され、前記灰等回収容器は、その凹部に格納されることにより、該床面に一部が埋没する状態で配置される。
【００２１】
このようにすれば、たとえストーブ台の厚みが薄い場合でも、床面まで跨るように凹部を形成することにより、ある程度深い回収容器でも床面に一部が埋没する形態で凹部に装着することができ、そのため灰等の収容量の大きな回収容器を用いることができる。
【図面の簡単な説明】
【００２２】
【図１】この考案の一実施例であるストーブ台の灰等回収構造を示す斜視図。
【図２】図１の平面図。
【図３】図２のＡ−Ａ断面図。
【図３Ａ】図３の変形例を示す断面図。
【図４】図２の変形例を示す平面図。
【図５】図２の灰等回収容器の部位に対応する断面図。
【図５Ａ】図５の変形例を示す断面図。
【図５Ｂ】図５の更に別の変形例を示す断面図。
【図６】灰等回収容器の一例を示す図。
【図７】凹部と灰等回収容器とのクリアランスを埋めるリップ部を設けた例を示す断面図。
【図７Ａ】図７とは異なるシール作用を示す断面図。
【図８】図７の分解断面図。
【図９】図８のリップ部形成体の平面図。
【図９Ａ】図８の変形例を示す分解断面図。
【図１０】図７，８，９Ａにおける蓋とそのつまみ部を示す斜視図。
【図１１】図１０のつまみ部を起こした状態の斜視図。
【図１２】図５の変形例を示す断面図。
【図１２Ａ】図１２の第一変形例を示す断面図。
【図１２Ｂ】図１２の第二変形例を示す断面図。
【図１２Ｃ】図１２の第三変形例を示す断面図。
【図１３】図６の変形例を示す斜視図。
【図１４】図２の変形例を示す平面図。
【図１５】図１４の灰等回収容器を示す斜視図。
【図１６】図１４のＣ−Ｃ断面図。
【図１７】図１６の分解断面図。
【図１８】図１４の変形例を示す平面図。
【図１９】変形五角形のストーブ台に適用した例を示す平面図。
【図２０】従来例を示す斜視図。
【図２０Ａ】図２０とは別の従来例を示す平面図。
【考案を実施するための形態】
【００２３】
以下、この考案の実施の形態を図面に基づいて説明する。
【００２４】
図１に示すストーブ台１は、薪その他の燃焼材を炉内に供給することによりその燃焼熱で暖房するストーブ２のために使用され、床面３上に位置してその上にストーブ２が置かれることにより、床面３とストーブ２との間に介在してストーブ２の熱が床面３に伝わることを抑制するとともに、床面３を保護する。このストーブ台１には、薪等の燃焼材の燃焼に伴う灰等の燃焼残渣、供給前の燃焼材から生じる塵等、ストーブ２の使用に伴いストーブ台１に散在する灰等の被回収物を回収する灰等回収容器４が設けられている。
【００２５】
このストーブ台１には、ストーブ台１の平面視における外縁に沿って、ストーブ２が置かれる載置面５に対しそれより一定量立ち上がる堤部６が形成されて載置面５が取り囲まれている。堤部６はストーブ台１の外縁に沿って所定の高さを有する壁状に（この例では矩形状に）形成され、載置面５のうち堤部６で取り囲まれる領域の一部がストーブの設置領域（図２）７とされるとともに、少なくとも前側にストーブ２の非設置領域８が形成されている。
【００２６】
さらにその載置面５の、堤部６の内側近傍におけるストーブ２の非設置領域８に開口する凹部１０（図５）が形成され、その凹部１０に、上部開口を有する灰等回収容器４が、その上部開口が載置面５に対して同一面上か載置面５より低位置となるように着脱可能に装着される。これによりストーブ台１の載置面５に散在する灰等の被回収物を灰等回収容器４に集めて回収し、その灰等回収容器４を凹部１０から取り外して、その内部に収容された灰等を廃棄可能としている。
【００２７】
このストーブ台１において、図２の平面視で前側のストーブ非設置領域８における外縁は、この例で矩形の半分部分に相当する２つの角部（直角部）を有し、凹部１０（灰等回収容器４）は、そのうちの１つの角部に対応する位置において堤部６の内側直近に形成され、その角部に形成された凹部１０に灰等回収容器４が着脱可能に嵌合されている。
【００２８】
ストーブ台１の載置面５には、堤部６の内側に沿って、灰等回収容器４に向かって線状に延びる案内溝１１が形成され、その案内溝１１内にいったん掃き込まれた灰等の被回収物がその案内溝１１に沿って灰等回収容器４に集められるようになっている。この案内溝１１はストーブ台１の全周を巡る堤部６に対応して、その全周・全辺にわたって形成されているが、灰等の回収に関与する主に前側部分（図２におけるＢ−Ｂ矢視領域）にのみ形成されてもよい。案内溝１１は半円状断面、矩形断面、浅い平溝状断面等、種々のものを採用でき、また図３に示すように、堤部６から少しだけ内側に入った位置に形成することもできるし、図３Ａに示すように、堤部６の基部に内接する形態で設けることも可能である。さらに凹部１０（灰等回収容器４）を、図４に示すように、堤部６における角部のアールコーナー６Ａに内接するように形成すれば、その角部に灰等が閉じ込められたり溜まったりしにくくなる。
【００２９】
また、図５に示すように、凹部１０はストーブ台１の載置面５から床面３までの台厚みｔより浅い有底穴（例えば円形穴）として形成され、その底面に灰等回収容器４が着座して支持される形態、図５Ａに示すように、凹部１０が台厚みｔを貫通する貫通孔として形成され、床面３に灰等回収容器４の底面が着座して支持される形態のいずれでもよく、これらの形態では床面３にストーブ台１を置くだけで、床面３に何ら加工は必要ない。
【００３０】
あるいは図５Ｂに示すように凹部２０を構成してもよい。この場合、ストーブ台１の載置面５に開口するように形成される凹部２０は、ストーブ台１の載置面５から床面３に対する接地面１２まで貫通する貫通部９Ａと、その位置に対応して床面３に形成された穴等の凹所９Ｂとが、上下方向に連なることにより、ストーブ台１と床面３とに跨って形成され、灰等回収容器４は、その凹部２０に格納されることにより、床面３中に一部が埋没する状態で配置されることとなる。いずれにしても、灰等回収容器４が有底円筒形状であれば、凹部１０の横断面もそれに対応して円形状とされる。
【００３１】
図６は、灰等回収容器４の一例を示すもので、有底円筒形状をなし、その上部に取手１３が取り付けられている。すなわち、この灰等回収容器４の取手１３は、容器４の上部の開口の上方を跨ぐように起立する使用位置と、その使用位置から横に倒され容器４の上部の開口の周縁に沿って収まる格納位置、又は下向きに強制的に若しくは自重で倒された格納位置とに移動可能であり、凹部１０から灰等回収容器４を取り出す際には、その取手１３を格納位置から使用位置に起立させ、その取手１３を把持して容器４を持ち上げるようにして、凹部１０から抜き出す。
【００３２】
図７は、ストーブ台１の凹部１０に装着される灰等回収容器４の上部開口が蓋１４で塞がれるとともに、凹部１０と容器４とのクリアランスＣを弾性的に封じるリップ部（シール部）が設けられた形態を示している。すなわち、この例において灰等回収容器４が着脱可能に装着される凹部１０は、灰等回収容器４の断面形状（例えば円形）に対応する形状（円形断面）で、かつその灰等回収容器４との間に着脱のためのクリアランスＣを生じる大きさで形成され、その凹部１０の上端開口部に弾性変形可能な環状（図示の例は円環状）のリップ部１５がその凹部１０の開口内縁より内側に突き出た形態でクリアランスＣを埋めるように設けられている。
【００３３】
そして、容器４が嵌め入れられる際に、図７に示すようにリップ部１５が容器４の上部側周面に弾性変形状態で押し付けられるか、図７Ａに示すように、リップ部１５がその弾性変形により容器４の上部開口縁を下側へ通過させた後に、その上部開口縁に上側から覆い被さるような状態となって、凹部１０の内面と容器４の外面とのクリアランスＣがリップ部１５で埋められ（シール作用）、凹部１０内に灰等が侵入しにくい構造となっている。なお、この例のストーブ台１は、本体１７とその表面に一体化されたタイル等の耐火材１８との積層構造となっている。
【００３４】
そして、このリップ部１５は、図８に示すように、ゴム等の弾性材料からなる、例えば有底円筒形状のリップ部形成体１６の上部開口内周に一体に形成することができ、その形態は例えば図９に示すように、波形又はジグザク状の環状開口を形成する。さらにこのリップ部形成体１６の内周面が、ストーブ台１に形成されるべき凹部１０となる。このようにリップ部１５が個々の弾性変形可能な小片の集合により構成されることで、容器４を凹部１０に入れたり出したりする際のリップ部１５の弾性変形が容易で、容器４のスムーズな出入れを可能にする。すなわち、灰等回収容器４が凹部１０に装着される際には、その環状のリップ部１５が下側へ湾曲するように弾性変形させつつその凹部１０に押し込まれ、クリアランスＣが埋められて凹部１０の上端開口部と灰等回収容器４との間から灰等の被回収物がその凹部１０内に侵入することが防止ないし抑制される。
【００３５】
ここで、有底円筒形状のリップ部形成体１６に代えて、図９Ａに示すように、環状のリップ部形成体２１（環状のシール材の形態）を採用することもでき、その形成体２１が凹部１０の開口内周面に形成された保持溝２１ａに保持され、凹部１０はストーブ台１に直接的に形成されている。このようなリップ部１５においても、図８の場合と同様な効果が得られる。
【００３６】
次に、図７、図８、図９Ａに示す蓋１４について説明する。蓋１４は基材１９とタイル等の耐火材２０とが積層された構造をなし（単一材料でもよい）、凹部１０の開口内に嵌り、かつ容器４の上部開口を塞ぐものとされ、その形状は凹部１０の開口形状に対応して、例えば円形状のものを採用することができる。すなわちストーブ台１は、その載置面５に形成された凹部４の凹部開口２３及びその凹部１０に装着された灰等回収容器４の容器開口（上部開口）２４を共に塞ぐ蓋１４を備え、灰等の被回収物を灰等回収容器４へ回収する際にはその蓋１４を取って、灰等回収容器４の容器開口（上部開口）２４を露出させ、それ以外のときはその蓋１４を凹部１０の凹部開口２３に被せて凹部開口２３及び灰等回収容器４の容器開口２４を塞いでおく。
【００３７】
蓋１４の上面には、蓋１４の取外し・装着時に手で把持されるつまみ部（把持部）２２が設けられ、このつまみ部２２は固定式でもよいが、図１０及び図１１に示すように、つまみ部２２を使用するときだけ起立状態にし、使用しないときは折り畳んで蓋１４の上面から突出しないように、回動可能に蓋１４の上面に取り付けることができる。蓋１４の上面にはつまみ部２２が丁度収まる凹部２２ａが形成され、横倒しの折り畳み状態ではつまみ部２２がその凹部２２ａに収まるようにされる。
【００３８】
灰等回収容器４の形態は、有底円筒状以外に種々選択でき、例えば図１２に示すように、開口が広く深さが浅い扁平な容器４を用いることもできる。図１３は扁平直方体の箱形状の灰等回収容器４を示している。これ以外にも平面形態が楕円状、トラック形状その他種々の変形が可能である。
【００３９】
なお、ある程度の深さを有する灰等回収容器４の使用を前提としつつも、ストーブ台１の厚みが小さい場合は、図５Ｂに示したように床面３に穴等の凹所９Ｂを形成することで対応できるが、これ以外に図１２Ａ〜図１２Ｃに示すように、ストーブ台１をいわば「上げ底」にして、床面３との間に容器４が収まる下側空間２６Ａを確保する形態でもよく、その場合は、ストーブ台１を床面から浮き上がらせた状態で載置するために、複数の脚部２５がストーブ台１に付加される。
【００４０】
すなわち図１２Ａの例では、ストーブ台１は複数の脚部２５の下端において床面３に設置され、これら複数の脚部２５によりストーブ台１の載置面５（載置基板２６）が嵩上げされる結果、ストーブ台１の載置面５と反対側の裏面（載置基板２６の下面）２７と床面３との間に一定の下側空間２６Ａが確保される。そして、載置基板２６にそれの厚さ方向に形成された貫通孔が凹部１０となり、その凹部１０に挿入され下方へ突き出た灰等回収容器４の底部が床面３に着座して、その床面３で支持される。この際に、容器４の開口と載置面５とはほぼ面一となる。
【００４１】
図１２Ｂの例では、容器４が床面３で支持されるのではなく、その容器４の開口部に形成されたフランジ２８が、凹部１０（載置基板２６に形成された貫通孔）の開口部の肩面２９に着座することにより、容器４が床面３から浮き上がった状態でストーブ台１に支持される。この場合でも、容器４のフランジ２８と載置面５とはほぼ面一になる。
【００４２】
図１２Ｃの例では、ストーブ台１の載置基板２６が複数の脚部２５により床面３から浮き上がった底上げ状態で床面３に載置され、その載置基板２６と一体的に、有底容器状部３０が脚部２５の脚長の範囲で下向きに突出して形成される。この有底容器状部３０の内側空間が凹部１０とされ、この凹部１０内に灰等回収容器４が収容され、その容器４の下面が有底容器状部３０の底面に着座して、容器４がこの有底容器状部３０、ひいてはストーブ台１に支持される。
【００４３】
上記のような脚部２５によりストーブ台１の載置基板２６を底上げして、その下側に所定の下側空間２６Ａを確保すれば、深い容器４を使用する場合でもその空間２６Ａ内に収まり、容器４の下側部分を収容するための穴等の凹所を床面３に形成する必要がなくなる。
【００４４】
図１４ないし図１７は、長手状容器を灰等回収容器４として採用した例である。すなわち、ストーブ台１の載置面５に開口するように形成される凹部１０は、堤部６の内側に沿って長手状に少なくとも１本が形成され、その凹部１０に着脱可能に装着される灰等回収容器４も、凹部１０に対応する形状で長手状に形成され、堤部６の手前に位置する長手状の灰等回収容器４に向かって灰等の被回収物を掃き込むことにより、容器４に回収することとなる。灰等を掃き込み得る領域が容器４の長手方向に広く確保されるから、灰等の回収を容易かつ迅速に行い得る。
【００４５】
この長手状の灰等回収容器４は、開口部にフランジ２８を備え、フランジ２８がストーブ台１の凹部１０の開口部に形成された肩面２９に着座する。この例では、長手状の凹部１０が前側の堤部６の内側に近接して横長に配置される。そして、図１５，１６に示すように、容器４を把持するための取手１３が適数、例えば容器長さ方向の両端に形成され、またこの長手状の容器４の開口を覆う長手状の蓋１４が設けられ、この蓋１４が容器４に収容された灰等が飛散することを防止し、また灰に火の粉が含まれるような場合は防火機能を兼ねる。蓋１４にはつまみ部２２があり、ここを把持して蓋１４を取り扱う。
【００４６】
図１８は、上記のような長手状の灰等回収容器４をストーブ台１の載置面５において、ストーブ２の前方及び左右両側の、背後を除く三方に配置したものである。
【００４７】
図１９は、部屋の角部（壁面３１が直角に交差する部位）に、ストーブ２を角部の対角線方向に向けて配置するために、平面視で例えば変形五角形のストーブ台１を用いる例を示している。この場合に灰等回収容器４をどのように配置するかは、ここまで説明した各種の形態を採り得るが、例えば前側の複数の角部（４つの角部を把握できる）のうちの１つ以上の角部に凹部１０及び灰等回収容器４を設け、またその容器４に灰等を誘導する案内溝１１を外縁の堤部６に沿って全周に（又は前側部分のみに）形成することができる。
【符号の説明】
【００４８】
１  ストーブ台
２  ストーブ
３  床面
４  灰等回収容器
５  載置面
６  堤部
９Ａ  貫通部、９Ｂ  凹所
１０  凹部
１１  案内溝
１３  取手
１４  蓋
１５  リップ部
２３  凹部開口
２４  容器開口（上部開口）
２５  脚部
２６  載置基板
２６Ａ  下側空間
３０  有底容器状部
【図１】
0003163606.tif 000003
【図２】
0003163606.tif 000004
【図３】
0003163606.tif 000005
【図３Ａ】
0003163606.tif 000006
【図４】
0003163606.tif 000007
【図５】
0003163606.tif 000008
【図５Ａ】
0003163606.tif 000009
【図５Ｂ】
0003163606.tif 000010
【図６】
0003163606.tif 000011
【図７】
0003163606.tif 000012
【図７Ａ】
0003163606.tif 000013
【図８】
0003163606.tif 000014
【図９】
0003163606.tif 000015
【図９Ａ】
0003163606.tif 000016
【図１０】
0003163606.tif 000017
【図１１】
0003163606.tif 000018
【図１２】
0003163606.tif 000019
【図１２Ａ】
0003163606.tif 000020
【図１２Ｂ】
0003163606.tif 000021
【図１２Ｃ】
0003163606.tif 000022
【図１３】
0003163606.tif 000023
【図１４】
0003163606.tif 000024
【図１５】
0003163606.tif 000025
【図１６】
0003163606.tif 000026
【図１７】
0003163606.tif 000027
【図１８】
0003163606.tif 000028
【図１９】
0003163606.tif 000029
【図２０】
0003163606.tif 000030
【図２０Ａ】
0003163606.tif 000031